(57)【要約】      （修正有）【課題】ゴルフコンペティションなどのゴルフ関係のイベントの発起人が、面倒なスケジュール調整などを負担することなく、イベント参加者を募る仕組みを構築する。【解決手段】ゴルフイベントへの参加希望者数の入力欄が設けられているデータベース１０２と、開催予定日時、開催予定場所及び募集人数を含むイベント情報をネットワークを介して受け付けるイベント受付手段１０１と、前記イベント情報を付加することで画面を生成する生成手段１０３と、前記画面を前記ネットワークを介して会員に閲覧可能とする処理を行う処理手段１０４と、閲覧された画面を通じて会員からなされた参加希望を示す情報を前記参加希望者数とともに受け付ける参加希望受付手段１０５と、前記参加希望者数と前記募集人数とに基づいて当該ゴルフイベントの募集残数を割り出す割出手段１０６と、前記募集残数に従って前記画面内の募集人数を更新する更新手段１０７とを備える。【選択図】  図２
2007133768.tif 000002
【特許請求の範囲】
【請求項１】
ゴルフイベントへの参加希望者数の入力欄が設けられているデフォルト画面が記憶されている記憶手段と、
ゴルフイベントの開催予定日時、開催予定場所及び募集人数を含むイベント情報をネットワークを介してイベント発起会員から受け付けるイベント受付手段と、
前記イベント情報を前記デフォルト画面に付加することで画面を生成する生成手段と、
前記画面を前記ネットワークを介して会員に閲覧可能とする処理を行う処理手段と、
前記処理に起因して閲覧された画面を通じて会員からなされた参加希望を示す情報を前記参加希望者数とともに受け付ける参加希望受付手段と、
前記参加希望者数と前記募集人数とに基づいて当該ゴルフイベントの募集残数を割り出す割出手段と、
前記募集残数に従って前記画面内の募集人数を更新する更新手段とを備える、ゴルフイベントの参加者募集支援装置。
【請求項２】
請求項１記載の参加者募集支援装置と、
前記参加者募集支援装置に対してイベント情報を送信する端末と、
前記参加者募集支援装置から前記画像を受信する端末とを備える、ゴルフイベントの参加者募集支援システム。
【請求項３】
請求項２記載のゴルフイベントの参加者募集支援システムに用いられる端末であって、前記参加者募集支援装置との間で通信を行う端末。
【請求項４】
ゴルフイベントへの参加希望者数の入力欄が設けられているデフォルト画面を記憶するステップと、
ゴルフイベントの開催予定日時、開催予定場所及び募集人数を含むイベント情報をネットワークを介してイベント発起会員から受け付けるステップと、
前記イベント情報を前記デフォルト画面に付加することで画面を生成するステップと、
前記画面を前記ネットワークを介して会員に閲覧可能とする処理を行うステップと、
前記処理に起因して閲覧された画面を通じて会員からなされた参加希望を示す情報を前記参加希望者数とともに受け付けるステップと、
前記参加希望者数と前記募集人数とに基づいて当該ゴルフイベントの募集残数を割り出すステップと、
前記募集残数に従って前記画面内の募集人数を更新するステップとを、サーバに実行させるプログラム。
【発明の詳細な説明】
【技術分野】
【０００１】
本発明は、ゴルフイベントの参加者募集支援装置に関し、特に、ゴルフ場やゴルフショップなどのローカルな会員登録者の社交場的なイベントである、ゴルフイベントの参加者募集支援装置に関する。
【背景技術】
【０００２】
従来、ゴルフ場を利用する場合には、通常、ゴルフコンペティションの発起人等が、自身を含めてゴルフ仲間など４人以上を集め、全員のスケジュール調整を行ってから、電話等で所望のゴルフ場に対して、予約を行うという手順がとられていた。
【０００３】
この煩雑さを回避するために、特許文献１には、会員登録したゴルフ場予約希望者がネットワーク上のホームページで複数のゴルフ場予約状況を閲覧し、該当するゴルフ場の予約有無表示から、プレー年月日、ゴルフ場、人数、スタート時間の指定、希望ラウンド、その他の事項をサーバに送信し、サーバはゴルフ場予約希望者に対し該当するゴルフ場の予約画面を表示してプレー日、スタート時間等の予約内容を表示するとともに予約希望者の氏名、会員ＩＤの入力を求め、かつ同伴者氏名を入力し、予約確認、実行入力を行なって予約を行うことが開示されている。
また、特許文献２には、会員端末からラウンドメンバー募集情報をホストコンピュータに向けて発信し、これをホストコンピュータが他の会員の端末装置へ発信し、当該他の会員がラウンドメンバー募集情報に応募すると、ラウンドメンバー募集情報とその情報への応募情報をホストコンピュータがとりまとめて（マッチング処理して）、ゴルフ場端末装置へ予約情報を発信するゴルフメンバーマッチングシステムについて開示されている。
【０００４】
【特許文献１】特開２００３−２４８７７１号公報
【特許文献２】特開２００２−１３３０１４号公報
【発明の開示】
【発明が解決しようとする課題】
【０００５】
しかし、特許文献１に開示されている手法は、それ以前になされていた電話予約という手順が、単に、パーソナルコンピュータ及びインターネットなどを用いてなされるようになっただけに過ぎない。このため、特許文献１に開示されている手法は、ゴルフコンペティションの発起人がスケジュール調整を行う際の負担軽減には寄与してない。また、特許文献１に開示されている手法では、自身の知るゴルフ仲間のスケジュール調整ができなかった場合には、結局、ゴルフコンペティションをなす術が無かった。
【０００６】
上記各問題点は、ゴルフコンペティションが、基本的に４人でなされるという特殊性に基づいている。すなわち、上記各問題点は、ゴルフ仲間３人のスケジュール調整はできたが、あと１人の調整ができないとか、ゴルフ仲間６人が集まったが、あと２人の集まらないという場合に生じるものである。さらに、最終的にゴルフ仲間４人のスケジュール調整はできたが、その調整に時間がかかったことにより、ゴルフ場に空きがなくなり、結局、ゴルフコンペティションを行えなくなる場合もある。
【０００７】
また、特許文献２に開示されている手法は、言ってみれば、会員の１人がラウンドを行いたい場合にラウンドメンバーの募集を行い、他の３人の会員がそのラウンドに参加したい場合に、３人目のメンバーが応募してから、やっと、ゴルフ場の利用予約を行うものである（図３参照）。係る場合においても、ラウンドメンバー４人が集まったものの、そのときには、既にゴルフ場に空きがなくなり、予約不可となる場合もある。
【０００８】
そこで、本発明は、ゴルフコンペティションなどのゴルフ関係のイベントの発起人が、面倒なスケジュール調整などを負担することなく、イベント参加者を募る仕組みを構築することを課題とする。
【課題を解決するための手段】
【０００９】
上記課題を解決するために、本発明のゴルフイベントの参加者募集支援装置は、
ゴルフイベントへの参加希望者数の入力欄が設けられているデフォルト画面が記憶されている記憶手段と、
ゴルフイベントの開催予定日時、開催予定場所及び募集人数を含むイベント情報をネットワークを介してイベント発起会員から受け付けるイベント受付手段と、
前記イベント情報を前記デフォルト画面に付加することで画面を生成する生成手段と、
前記画面を前記ネットワークを介して会員に閲覧可能とする処理を行う処理手段と、
前記処理に起因して閲覧された画面を通じて会員からなされた参加希望を示す情報を前記参加希望者数とともに受け付ける参加希望受付手段と、
前記参加希望者数と前記募集人数とに基づいて当該ゴルフイベントの募集残数を割り出す割出手段と、
前記募集残数に従って前記画面内の募集人数を更新する更新手段とを備える。
【００１０】
また、本発明のゴルフイベントの参加者募集支援システムは、
上記参加者募集支援装置と、
前記参加者募集支援装置に対してイベント情報を送信する端末と、
前記参加者募集支援装置から前記画像を受信する端末とを備える。
【発明の効果】
【００１１】
本発明によると、ゴルフイベントの発起人は、自身の都合で会場等を選択し、そこに予約を行う。そして、その情報を参加者募集支援装置（サーバ）へアップロードするだけで、その予約に先立って面倒なスケジュール調整などを負担することなく、イベント参加者を募集することが可能となる。
【００１２】
特に、本発明によると、斬新かつ合理的なゴルフコンペティションを行う場合のゴルフ場の利用ができるようになる。典型例をあげると、本発明の参加者募集支援装置を、例えば、ゴルフ場、ゴルフショップ、ゴルフ練習場などに設置し、そのローカルな会員登録者間で用いる場合を想定すると、効果が顕著に理解できるであろう。
【００１３】
すなわち、会員同士であれば、互いにゴルフショップなどで顔なじみであったり、住まいが近所だったりする。そして、ゴルフコンペティション等の発起人が、知っている会員である場合には、その者に対して親近感を有していることもあるので、ゴルフコンペティションを閲覧した会員は、気軽に友人１人を誘って参加してみようという気持ちになることが想定できる。
【００１４】
したがって、発起人及びその友人の２人がゴルフコンペティションを行いたい考えた場合には、参加者募集支援装置によって参加を希望する会員が存在すれば、その会員及びその友人を含めた、合計４人でのゴルフコンペティションが行われるようになるであろう。
【発明の実施の形態】
【００１５】
以下、本発明の実施形態について図面を参照して説明する。
図１は、本発明の実施形態のゴルフイベントの参加者募集支援システムの概要説明図である。本実施形態の参加者募集支援システムは、大人数でゴルフがしたいとか、気軽にゴルフコンペなどのゴルフイベントを立ち上げたいという発起人であるゴルフイベント会員（イベント発起会員）が、他の会員（イベント参加希望会員）に対してそのイベントへの参加を募集するときに用いられるものである。
【００１６】
具体的には、イベント発起会員は、自身の端末を操作するなどして、イベント開催予定のゴルフ場に対して、ゴルフ場利用予約を行うとともに、サーバ１００に対してイベント開催情報をアップロードする。サーバ１００では、イベント発起会員の端末からアップロードされてきたイベント開催情報を示す画面を、イベント参加希望会員を含む別の会員の端末側で閲覧できるように処理する。
【００１７】
本実施形態の参加者募集支援システムによると、この別の会員のうち、ゴルフがしたいとか、気軽にゴルフコンペなどのゴルフイベントに参加したいと考えているイベント参加希望会員は、イベント開催情報の閲覧により興味が湧いたイベントへ、参加できるようになる。
【００１８】
具体的には、イベントへの参加を希望する会員は、そのイベントに参加したい場合には、自身の端末を操作することによって、参加申込み人数を沿えて参加申込みを行う。すると、サーバ１００が、そのイベントの募集人数と既に参加申込みを受け付けた人数とに基づいて参加可能か否かを判定し、判定結果を示す申込み結果を、イベント参加希望会員の端末へ返信するといった、処理がなされる。
【００１９】
図２は、図１に示すサーバ１００の模式的な内部構成を示すブロック図である。なお、図２には、ゴルフ場端末６００、会員端末２００〜５００も付記している。
【００２０】
サーバ１００は、以下説明する、イベント受付手段１０１と、データベース１０２と、生成手段１０３と、処理手段１０４と、参加希望受付手段１０５と、割出手段１０６と、更新手段１０７と、通知手段１０８と、保存手段１０９とを備えている。
【００２１】
イベント受付手段１０１は、イベント発起会員からアップロードされる、ゴルフイベントのタイプ、名称、開催予定場所、開催予定日時、募集人数、最小催行人数、申込締切日時などのイベント情報を、ネットワーク７００を介して受け付けるものである。
【００２２】
データベース１０２は、イベント受付手段１０１によって受け付けられたイベント情報と、イベント情報に基づいて生成手段１０３によって生成された画面と、その他の情報とが記憶されるものである。
【００２３】
生成手段１０３は、イベント受付手段１０１によって受け付けられたイベント情報に基づいて、後述する図４〜図７に示す画面を生成するものである。
【００２４】
処理手段１０４は、生成手段１０３によって生成された画面を、ネットワーク７００を介して別の会員に閲覧可能とする処理を行うものである。具体的には、処理手段１０４は、ｗｅｂサービスを実行するものであり、会員端末２００〜５００が画面をダウンロードできるようにしている。
【００２５】
参加希望受付手段１０５は、処理手段１０４の処理によって閲覧された画面に記載されているゴルフイベントへの参加希望を参加希望者数とともに受け付け、又は、既に受け付けた参加希望に対するキャンセルを受け付けるものである。
【００２６】
割出手段１０６は、参加希望受付手段１０５によって受け付けられた参加希望者数と、イベント受付手段１０１によって受け付けられた募集人数とに基づいて、ゴルフイベントの募集残数を割り出すものである。
【００２７】
更新手段１０７は、生成手段１０３によって生成された画面内の募集人数の情報を、割出手段１０６によって割り出された募集残数に更新するものである。
【００２８】
通知手段１０８は、会員端末１００，３００等に対して、各種通知を行うものである。
【００２９】
保存手段１０９は、参加希望受付手段１０５によって受け付けた参加希望申込みの登録を、人数オーバーを理由に行わなかった場合に、その申込者を特定する情報をデータベース１０２に保存するものである。
【００３０】
会員端末２００〜５００は、パーソナルコンピュータなどの汎用機器を用いることもできるし、専用機器を用いることもできる。
【００３１】
ネットワーク７００は、インターネットのみならず、イントラネット、ブルートゥースを含むＬＡＮ（Local Area Network）、ＷＡＮ（Wide Area Network）などの種々のものを用いることができる。
【００３２】
図３は、イベント発起会員にダウンロードされる初期（デフォルト）状態の入力画面を示す図である。図３には、「新規イベント入力」という見出し欄３１と、ゴルフラウンド／コンペティション／スクール／飲み会などのイベントタイプの選択欄３２と、○○ゴルフイベントなどのイベント名称の入力欄３３と、イベント開催地であるゴルフ場選択欄３４と、イベントの開催日選択欄３５と、イベントのスタート時間選択欄３６と、イベントへの募集人数選択欄３７と、イベントの最小催行人数選択欄３８と、イベントへの申込締切日選択欄３９と、その他会員に知らせたい情報や参加してもらいたい会員の条件などを入力する詳細入力欄４０と、入力／選択した情報をサーバ１００へアップロードするための送信ボタン４１とが示されている。
【００３３】
ゴルフ場選択欄３４は、５０音順に掲載されるゴルフ場名からゴルフ場を選択する選択部３４ａと、ゴルフ場の所在地からゴルフ場を選択する選択部３４ｂとが設けられている。仮に、各選択部３４ａ，３４ｂに、利用予約したゴルフ場が登録されていなかった場合には、詳細入力欄４０にその旨を記載したり、サーバ１００の管理者に追加申請したりすればよい。また、スタート時間選択欄３６は、イベント開催時刻選択部３６ａと、コンペなどの組数の選択部３６ｂとが設けられている。なお、入力画面のレイアウトや、各欄の内容は図３に示すものに限定されないが、少なくとも、ゴルフイベントの開催予定日時、開催予定場所及び募集人数を入力／選択する欄は必須であろう。
【００３４】
イベント発起会員は、図３に示す入力画面をサーバ１００からダウンロードしたら、予約しているゴルフ場などの情報の必要情報を入力し、送信ボタン４１を押下すればよい。本実施形態の参加者募集支援システムでは、この送信ボタン４１、後述する参加ボタン６３及び不参加ボタン６４を押下すると、ｗｅｂメールなどにより、入力画面に入力されたイベント情報が、サーバ１００へアップロードされるようにしてある。
【００３５】
図４は、図３に示す入力画面に入力された情報に基づいて生成される参加者募集画面を示す図である。図４には、クラブ内一覧という見出し欄４１と、開催日・名称・ゴルフ場・タイプ・応募／募集などの項目欄４２と、項目欄４２の各項目に対応する開催情報掲載欄４３，４４等とが示されている。
【００３６】
開催情報掲載欄４３には、開催日が１０月１０日で、イベント名称が○○クラブゴルフで、イベント開催場所が××ゴルフクラブで、イベントタイプがラウンドで、募集人数８人に対して応募人数が５人である旨が掲載されている。また、開催情報掲載欄４４には、開催日が１０月１５日で、イベント名称が□□スクールイベントで、イベント開催場所が△△ゴルフクラブで、イベントタイプがラウンドレッスンで、募集人数１２人に対して応募人数が１０人である旨が掲載されている。その他、イベントタイプがコンペティション（コンペ）についての情報の掲載例も示されている。
【００３７】
各開催情報掲載欄４３，４４等の例えば「名称」には、それぞれ、以下説明する詳細画面へのリンクが張られている。このため、会員が、興味のある「名称」をクリック等によって指定すると、処理手段１０４によって、サーバから会員端末３００等へ、対応する詳細画面がダウンロードされる。
【００３８】
図５は、図４に示す参加者募集画面の例えば３番目の開催情報掲載欄の詳細画面を示す図である。「○○ゴルフイベント詳細」というイベント名称を含む見出し欄５１と、イベントタイプの表示欄５２と、イベント開催地であるゴルフ場表示欄５３と、イベントの開催日表示欄５４と、イベントのスタート時間表示欄５５と、イベントへの募集人数表示欄５６と、イベントの最小催行人数表示欄５７と、イベントへの申込締切日表示欄５８と、その他会員に知らせたい情報や参加してもらいたい会員の条件などを入力する詳細表示欄５９と、イベントの発起人名とサーバ１００でのこの開催情報のデータベース１０２への登録日時表示欄６０と、参加申込者名とそれらの者のコメントとが表示される参加者一覧表示欄６１と、本イベントに対する参加希望者が参加人数を選択する選択部６２と、参加申込みを希望する際に押下する参加ボタン６３と、参加申込みを希望しない際に押下する不参加ボタン６４とが示されている。
【００３９】
各表示欄５１〜５９に表示される情報は、図３に示す各選択／入力欄３２〜４０で選択／入力された情報である。換言すると、生成手段１０３は、図３に示す入力画面に入力された情報等に基づいて、図５に示す画面を生成する。
【００４０】
会員は、図５に示す詳細画面をサーバ１００からダウンロードし、このイベントへの参加を希望する場合には、選択部６２を通じて同伴者の人数を選択してから、参加ボタン６３を押下すればよい。図５に示す詳細画面は、参加者一覧表示欄６１に表示されるコメント入力欄が掲載されている画面とリンクが張られていて、参加ボタン６３を押下したことを契機に、リンク先の画面がサーバ１００からダウンロードされるようにしてある。
【００４１】
図６は、図５に示す詳細画面を通じて参加申し込みがされることによって更新した参加者募集画面を示す図である。図６には、図５に示す詳細画面から、実際に、同伴者を含めて合計３名のイベント参加者が参加を希望したときの、図２に示す参加者募集画面の更新例を示してある。したがって、図６に示す参加者募集画面は、図２のそれと、「応募人数」が異なるだけである。
【００４２】
図７は、図５に示す詳細画面を通じて参加申し込みを行った会員宛てに返信される通知画面を示す図である。図７（ａ）には、イベント参加希望者から受け付けた参加申込みの登録が行われた場合になされる登録完了通知を示している。ここでは、イベント名称、イベント開催日時、イベント参加申請人数を示すようにしている。
【００４３】
図７（ｂ）には、イベント参加希望者から受け付けた参加申込みの登録が人数オーバーを理由に行われなかった場合になされる登録不可通知を示している。図７（ｃ）には、イベント参加希望者から受け付けた参加申込みの登録が申込締切日オーバーなどを理由に行われなかった場合になされる登録不可通知を示している。なお、図７（ｂ）に示す通知に代えて、参加希望者数を減らして再申込みするように促す画面を生成して、それを送信するようにしてもよい。
【００４４】
図８は、図１に示すゴルフイベントの参加者募集支援システムの動作を示すシーケンス図である。ここでは、会員端末２００を操作する会員（以下、「会員Ａ」と称する。）はゴルフコンペティションの発起会員であり、会員端末３００を操作する会員（以下、「会員Ｂ」と称する。）はそのイベントに対して他人１名同伴の合計２名で参加希望するイベント参加希望会員であり、会員端末４００を操作する会員（以下、「会員Ｃ」と称する。）もそのイベントに対して他人１名同伴の合計２名で参加希望するイベント参加希望会員であり、会員端末５００を操作する会員（以下、「会員Ｄ」と称する。）は会員端末２００を操作する会員によって上記イベントへの参加希望が１名キャンセルされた後にそのイベントに対して２名で参加希望するイベント参加希望会員とした場合に行われる動作を示している。
【００４５】
図８に示すように、まず、サーバ１００の管理者等は、図３に示した入力画面等の初期画面を、サーバ１００のデータベース１０２に登録しておく（ステップＳ１）。この状態で、会員Ａが、ゴルフコンペティションを開催したいと考え、会員端末２００を操作したり、電話をかけたりするなどして、ゴルフ場端末６００側に対して、希望する条件でゴルフ場の予約を行ったとする（ステップＳ２）。
【００４６】
その後、会員Ａは、このゴルフコンペティションへの参加者を募るため、会員端末２００を操作することによって、ネットワーク７００を介して、サーバ１００にアクセスし（ステップＳ３）、サーバ１００から、図３に示すデフォルト状態の入力画面をダウンロードする（ステップＳ４）。
【００４７】
そして、会員Ａは、会員端末２００を操作することによって、すでに、ゴルフ場端末６００に対して予約した、ゴルフコンペティションの開催予定日時、開催予定場所及び募集人数の各情報といったコンペティション情報を、図３に示す入力画面に入力する（ステップＳ５）。
【００４８】
つづいて、会員Ａは、会員端末２００を操作して、送信ボタン４１を押下する。これにより、入力画面を通じて入力されたコンペティション情報は、会員端末２００から、ネットワーク７００を介して、サーバ１００へアップロードされる（ステップＳ６）。
【００４９】
サーバ１００では、イベント受付手段１０１によって、会員端末２００からアップロードされてきたコンペティション情報が受け付けられ、データベース１０２に登録される。つぎに、生成手段１０３は、データベース１０２に登録されたコンペティション情報に従って、図４に示す参加者募集画面及び図５に示す詳細画面を生成する。処理手段１０４は、生成されたデータベース１０２に登録する（ステップＳ７）。
【００５０】
これにより、全ての会員は、ネットワーク７００を介して、サーバ１００にアクセスすることで、参加者募集画面等が閲覧可能となる。実際に、会員Ｂが、会員端末３００を操作することによって、サーバ１００にアクセスすれば（ステップＳ８）、処理手段１０４によって、図４に示す参加者募集画面がダウンロードされる。
【００５１】
この際、会員Ｂは、参加者募集画面内に、興味があるイベントがある場合には、そのイベント名をクリック等することで、リンクが張られている詳細画面をダウンロードすることができる（ステップＳ９）。会員Ｂは、その詳細画面を見た結果、そのイベントに参加を希望するのであれば、同伴人数（ここでは例えば２名）を指定して、参加ボタン６３を押下する。これにより、会員端末３００からサーバ１００へ、参加を希望する旨の情報と参加希望者数とがアップロードされる（ステップＳ１０）。
【００５２】
サーバ１００では、参加希望受付手段１０５によって、会員端末３００からアップロードされてきた参加希望情報が受け付けられ、データベース１０２に登録される。つぎに、割出手段１０６によって、参加希望受付手段１０５によって受け付けられた参加希望者数とイベント受付手段１０１によって受け付けられた募集人数とに基づいて、当該ゴルフイベントの募集残数が割り出される。
【００５３】
ここでは、合計４名の募集がなされていて、そのうち１名が会員Ａであり、会員Ｂからの参加希望者数は２名であるため、「４−１−２＝１」という演算がなされ、募集残数として「１」が割り出される。更新手段１０７は、データベース１０２に登録されている図４に示す参加者募集画面及び図５に示す詳細画面の募集人数情報に、割り出された募集残数を追加する更新処理を行う（ステップＳ１１）。
【００５４】
それから、生成手段１０３は、データベース１０２に登録されているコンペティション情報と、割出手段１０６によって割り出された募集残数とに基づいて、図７（ａ）に示す申込完了通知画面を生成する。申込完了通知画面は、通知手段１０８によって、会員端末３００へ通知される（ステップＳ１２）。
【００５５】
また、本例では、会員Ｃも、会員Ｂと同様に、そのイベントに対して他人１名同伴の合計２名で参加希望しているため、ステップＳ８〜Ｓ１０と同様に、サーバ１００にアクセスし（ステップＳ１３）、参加者募集画面及び詳細画面をダウンロードし（ステップＳ１４）、参加希望情報と参加希望者数とをアップロードすることになる（ステップＳ１５）。
【００５６】
この場合には、既に、募集人数が１名に更新されているにもかかわらず、参加希望者数が２名であるため、演算の結果、募集残数がマイナスになる。このため、この参加希望申込みの登録は、人数オーバーを理由に行われない。そして、保存手段１０９によって、人数オーバーにより参加希望申込みの登録を行わなかった旨の履歴がデータベース１０２に保存され（ステップＳ１６）、通知手段１０８によって、図７（ｂ）に示す登録不可通知画面が、会員端末４００へ通知される（ステップＳ１７）。
【００５７】
その後、会員端末３００から、ゴルフイベントへの参加希望者１名分をキャンセルする情報がアップロードされたとする（ステップＳ１８）。この場合、割出手段１０６によって、参加希望受付手段１０５によって受け付けられた参加希望者数とイベント受付手段１０１によって受け付けられた募集人数とに基づいて、当該ゴルフイベントの募集残数が割り出される。
【００５８】
ここでは、「４−１−２＋１＝２」という演算がなされ、募集残数として「２」が割り出される。生成手段１０３は、データベース１０２に登録されている図４に示す参加者募集画面及び図５に示す詳細画面の募集人数情報に、割り出された募集残数を追加する更新処理を行う（ステップＳ１９）。
【００５９】
サーバ１００では、キャンセル情報がアップロードされた場合には、データベース１０２を参照し、過去に人数オーバーを理由に参加希望申込みの登録を行わなかった旨の履歴が保存されているか否かを判定する。判定の結果、当該履歴が保存されている場合には、キャンセル後の募集人数（ここでは２人）を示す情報が入力されたキャンセル発生通知が、通知手段１０８によって、会員端末４００へ通知される（ステップＳ２０）。
【００６０】
この際、会員端末４００からキャンセルに対する申込みがなく、その後、会員端末５００から、会員Ｂと同様に、そのイベントに対して他人１名同伴の合計２名で参加希望しようとする場合には、会員Ｄは、ステップＳ８〜Ｓ１０と同様に、サーバ１００にアクセスし（ステップＳ２１）、参加者募集画面及び詳細画面をダウンロードし（ステップＳ２２）、参加希望情報と参加希望者数とをアップロードすればよい（ステップＳ２３）。
【００６１】
この場合には、サーバ１００では、割出手段１０６によって、募集残数「０」が割り出されるはずである。その後、生成手段１０３によって、募集残数を追加する更新処理が行われ（ステップＳ２４）、図７（ａ）に示す申込完了通知画面が生成される。申込完了通知画面は、通知手段１０８によって、会員端末５００へ通知される（ステップＳ２５）。
【００６２】
そして、会員端末１００からなされたゴルフイベントの申込締切日が満了すると、すなわちタイムアウトすると（ステップＳ２６）、サーバ１００の通知手段１０８から会員端末２００に対して、タイムアウトした旨の通知がなされる（ステップＳ２７）。その後、会員端末２００では、本予約をゴルフ場端末６００に、ネットワーク７００等を通じて行えばよい（ステップＳ２８）。ちなみに、タイムアウトした際に、応募人数が最小催行人数に満たない場合には、会員Ａは、ステップＳ２８において、予約取消しを行えばよいし、予定組数が確保できない場合には、予約組数の変更を行えばよい。
【００６３】
また、会員Ａがゴルフ場端末６００の経営者等であってもよい。すなわち、本実施形態の参加者募集支援装置を、このゴルフ場経営者が、利用予約の少ない日時に、例えば各会員に対してゴルフ場の貸し出しを行うために、４人のコンペティション参加希望会員を募集するといった使用方法も可能である。
【図面の簡単な説明】
【００６４】
【図１】本発明の実施形態のゴルフイベントの参加者募集支援システムの概要説明図である。
【図２】図１に示すサーバ１００の模式的な内部構成を示すブロック図である。
【図３】イベント発起会員にダウンロードされる初期（デフォルト）状態の入力画面を示す図である。
【図４】図３に示す入力画面に入力された情報に基づいて生成される参加者募集画面を示す図である。
【図５】図４に示す参加者募集画面の例えば３番目の開催情報掲載欄の詳細画面を示す図である。
【図６】図５に示す詳細画面を通じて参加申し込みがされることによって更新した参加者募集画面を示す図である。
【図７】図５に示す詳細画面を通じて参加申し込みを行った会員宛てに返信される通知画面を示す図である。
【図８】図１に示すゴルフイベントの参加者募集支援システムの動作を示すシーケンス図である。
【符号の説明】
【００６５】
１００  サーバ
１０１  イベント受付手段
１０２  データベース
１０３  生成手段
１０４  処理手段
１０５  参加希望受付手段
１０６  割出手段
１０７  更新手段
１０８  通知手段
１０９  保存手段
２００〜５００  会員端末
６００  ゴルフ場端末
【図１】
2007133768.tif 000003
【図２】
2007133768.tif 000004
【図３】
2007133768.tif 000005
【図４】
2007133768.tif 000006
【図５】
2007133768.tif 000007
【図６】
2007133768.tif 000008
【図７】
2007133768.tif 000009
【図８】
2007133768.tif 000010